(57)【要約】【課題】  長期に亘って抗菌作用を維持し装着も容易で汎用性のあるマイクロホン用キャップを提供することを目的とする。【解決手段】  棒状の把持部１の一端に風防ネット２で略球形状に形成されたヘッド３を有したマイクロホンＭに着脱可能であり、ヘッド３の一方側を覆う一方被覆部Ｃａと、ヘッド３の他方側を覆う他方被覆部Ｃｂと、一方被覆部Ｃａ及び他方被覆部Ｃｂを開閉可能に連結するヒンジ部１０と、一方被覆部Ｃａ及び他方被覆部Ｃｂの閉時に互いを解除可能にロックするロック部２０とを備え、一方被覆部Ｃａ，他方被覆部Ｃｂ，ヒンジ部１０及びロック部２０を抗菌性樹脂で一体形成した。【選択図】図１
2013118467.tif 000002
【特許請求の範囲】
【請求項１】
棒状の把持部の一端に風防ネットで略球形状に形成されたヘッドを有したマイクロホンの当該ヘッドに着脱可能に形成されたマイクロホン用キャップであって、上記ヘッドの一方側を覆う一方被覆部と、該ヘッドの他方側を覆う他方被覆部と、上記一方被覆部及び他方被覆部を開閉可能に連結するヒンジ部とを備え、上記一方被覆部及び他方被覆部の閉時に上記ヘッドに装着されて該ヘッドを覆い開時に該ヘッドから取り外し可能になるマイクロホン用キャップにおいて、
上記一方被覆部，他方被覆部，ヒンジ部を抗菌性樹脂で一体形成したことを特徴とするマイクロホン用キャップ。
【請求項２】
上記一方被覆部及び他方被覆部の閉時に互いを解除可能にロックするロック部を備えたことを特徴とする請求項１記載のマイクロホン用キャップ。
【請求項３】
上記ロック部を、上記一方被覆部に一体に設けられた係合部と、上記他方被覆部に一体に設けられ上記係合部に係合する被係合部とを備えて構成したことを特徴とする請求項２記載のマイクロホン用キャップ。
【請求項４】
上記一方被覆部及び他方被覆部を開方向に離間させるための指の掛止部を備えたことを特徴とする請求項３記載のマイクロホン用キャップ。
【請求項５】
上記一方被覆部及び他方被覆部に、その閉時に把持部のヘッド側の基部を包持する包持部を備え、上記掛止部を、上記一方被覆部及び他方被覆部の少なくともいずれか一方の包持部の内側に設けられ、該包持部の端縁から指を引掛け可能な凹所で構成したことを特徴とする請求項４記載のマイクロホン用キャップ。
【請求項６】
上記ヘッドの略中央に軸線を中心とし外側に突出するリング状の凸条を備えたマイクロホンに対応できるように、上記一方被覆部及び他方被覆部の内側に、閉時に上記凸条を収容可能な収容溝を形成したことを特徴とする請求項２乃至５何れかに記載のマイクロホン用キャップ。
【発明の詳細な説明】
【技術分野】
【０００１】
本発明は、カラオケ等で使用され所謂ボーカルマイクロホン等と言われるマイクロホンのヘッドを覆うマイクロホン用キャップに係り、特に、ヘッドを清潔に保持するために抗菌作用を備えたマイクロホン用キャップに関する。
【背景技術】
【０００２】
一般に、カラオケ等で使用される所謂ボーカルマイクロホン等と言われるマイクロホンは、図７に示すように、棒状の把持部１の一端に風防ネット２で略球形状に形成され集音するヘッド３を有して構成されている。このマクロホンＭにおいては、使用者の息、唾液等がヘッド３に吹きかかるので、雑菌が繁殖する等、不衛生になり易い。そのため、従来においては、ヘッド３を清潔に保持するために、ヘッド３に抗菌作用のあるマイクロホン用キャップを装着することを行っている。
【０００３】
従来、この種のマイクロホン用キャップとしては、例えば、特許文献１（特開平８−２０５２７４号公報）に掲載されたものが知られている。図７に示すように、このマイクロホン用キャップ１００は、ヘッド３の一方側を覆うカップ状の一方被覆部１００ａと、ヘッド３の他方側を覆うカップ状の他方被覆部１００ｂと、一方被覆部１００ａ及び他方被覆部１００ｂを開閉可能に連結するヒンジ部１０１とを備えている。一方被覆部１００ａ及び他方被覆部１００ｂは、夫々、樹脂製の枠１０２と、この枠１０２に貼着されるカップ状の抗菌紙１０３とを備えて構成されている。
【０００４】
このマイクロホン用キャップ１００を使用するときは、予め、一方被覆部１００ａ及び他方被覆部１００ｂの枠１０２に夫々抗菌紙１０３を貼着しておく。そして、例えば、マイクロホンＭの使用後、マイクロホンＭを布などで拭いた後、ヒンジ部１０１を介して一方被覆部１００ａ及び他方被覆部１００ｂを開き、この一方被覆部１００ａ及び他方被覆部１００ｂをヘッド３を挟むように配置し、再び、ヒンジ部１０１を介して一方被覆部１００ａ及び他方被覆部１００ｂを閉じ、ヘッド３を包持する。これにより、保管中においては、ヘッド３の風防ネット２の隙間などで繁殖しようとする雑菌があっても、その繁殖が抑制され、ヘッド３を清潔に保持することができる。
【先行技術文献】
【特許文献】
【０００５】
【特許文献１】特開平８−２０５２７４号公報
【発明の概要】
【発明が解決しようとする課題】
【０００６】
しかしながら、この従来のマイクロホン用キャップ１００においては、その使用時には、逐一、抗菌紙１０３を枠１０２に貼着しなければならないので、それだけ、作業が煩雑になっているという問題があった。また、抗菌紙１０３は、使い捨てになることから、無駄が多くなっているという問題もある。
本発明は、このような問題点に鑑みてなされたもので、長期に亘って抗菌作用を維持し装着も容易で汎用性のあるマイクロホン用キャップを提供することを目的とする。
【課題を解決するための手段】
【０００７】
このような目的を達成するため、本発明のマイクロホン用キャップは、棒状の把持部の一端に風防ネットで略球形状に形成されたヘッドを有したマイクロホンの当該ヘッドに着脱可能に形成されたマイクロホン用キャップであって、上記ヘッドの一方側を覆う一方被覆部と、該ヘッドの他方側を覆う他方被覆部と、上記一方被覆部及び他方被覆部を開閉可能に連結するヒンジ部とを備え、上記一方被覆部及び他方被覆部の閉時に上記ヘッドに装着されて該ヘッドを覆い開時に該ヘッドから取り外し可能になるマイクロホン用キャップにおいて、
上記一方被覆部，他方被覆部，ヒンジ部を抗菌性樹脂で一体形成した構成としている。
【０００８】
これにより、このマイクロホン用キャップを使用するときは、例えば、マイクロホンの使用後、マイクロホンを布などで拭いた後、ヒンジを介して一方被覆部及び他方被覆部を開き、この一方被覆部及び他方被覆部をヘッドを挟むように配置し、再び、ヒンジを介して一方被覆部及び他方被覆部を閉じ、ヘッドを包持する。この場合、一方被覆部及び他方被覆部を開閉するだけで、マイクロホン用キャップを装着することができるので、操作性が極めて良く、作業性を向上させることができる。
【０００９】
マイクロホン用キャップをヘッドに装着したマイクロホンの保管中においては、ヘッドの風防ネットに付着した雑菌が風防ネットの隙間などで繁殖しようとしても、キャップは抗菌性樹脂で一体形成されているので、その繁殖が抑制され、そのため、ヘッドを清潔に保持することができる。
【００１０】
また、カラオケ等でマイクロホンを使用する際、マイクロホンからマイクロホン用キャップを取り外すときは、ヒンジを介して一方被覆部及び他方被覆部を開いてヘッドから取り外す。この場合、一方被覆部及び他方被覆部を開くだけで、マイクロホン用キャップを取り外すことができるので、操作性が極めて良く、作業性を向上させることができる。
また、一方被覆部，他方被覆部，ヒンジ部を抗菌性樹脂で一体形成したので、長期に亘り、繰り返し使用することができ、従来のように、抗菌紙を交換する煩雑な作業をしなくても良くなることから、この点でも、作業性を向上させることができる。更に、抗菌紙を使用しなくても良いことから、使い捨ての無駄も防止することができる。
【００１１】
そして、必要に応じ、上記一方被覆部及び他方被覆部の閉時に互いを解除可能にロックするロック部を備えた構成としている。これにより、閉状態を確実に保持することができる。
この場合、上記ロック部を、上記一方被覆部に一体に設けられた係合部と、上記他方被覆部に一体に設けられ上記係合部に係合する被係合部とを備えて構成したことが有効である。ロック部を抗菌性樹脂で一体形成したので、抗菌作用をより高めることができる。また、係合部と被係合部の係合によるので構造を簡易化でき、操作性も向上させることができる。
【００１２】
また、必要に応じ、上記一方被覆部及び他方被覆部を開方向に離間させるための指の掛止部を備えた構成としている。これにより、係合部と被係合部との係合を解除して、一方被覆部及び他方被覆部を開くとき、掛止部に指を掛止して引っ張ることができ、それだけ、操作性がよくなり、作業性を向上させることができる。
【００１３】
この場合、必要に応じ、上記一方被覆部及び他方被覆部に、その閉時に把持部のヘッドに隣接する基部を包持する包持部を備え、上記掛止部を、上記一方被覆部及び他方被覆部の少なくともいずれか一方の包持部の内側に設けられ、該包持部の端縁から指を引掛け可能な凹所で構成している。掛止部を凹所で構成したので、一体に形成できるとともに、構造を簡易にすることができる。また、包持部の内側に設けたので、指を引掛けやすく、また、開方向の力を伝達しやすくなり、この点でも、操作性がよくなり、作業性を向上させることができる。
【００１４】
更に、必要に応じ、上記ヘッドの略中央に軸線を中心とし外側に突出するリング状の凸条を備えたマイクロホンに対応できるように、上記一方被覆部及び他方被覆部の内側に、閉時に上記凸条を収容可能な収容溝を形成した構成としている。マイクロホンによっても異なるが、ヘッドを構成する風防ネットがマイクロホンの軸方向上下に分割され、分割された単体を連結部で連結して構成されるものがある。この連結部は、外側に突出するリング状の凸条を備えており、収容溝はこの凸条を収容することができる。そのため、一方被覆部及び他方被覆部がこの凸条に引っかかって閉じない事態が防止され、確実にヘッドを覆うことができるようになる。また、この凸条を覆うために、一方被覆部及び他方被覆部の内側全部を大きく形成するのに比較して、収容溝を形成するだけでよいので、それだけ、全体をコンパクトに形成することができる。
【発明の効果】
【００１５】
本発明によれば、一方被覆部及び他方被覆部を開閉するだけで、ヘッドに対して装着しあるいは取り外すことができるので、操作性が極めて良く、作業性を向上させることができる。また、ヘッドに装着した状態においては、ヘッドの風防ネットの隙間などで繁殖しようとする雑菌があっても、その繁殖が抑制され、ヘッドを清潔に保持することができる。特に、一方被覆部，他方被覆部，ヒンジ部を抗菌性樹脂で一体形成したので、長期に亘り、繰り返し使用することができ、従来のように、抗菌紙を交換する煩雑な作業をしなくても良くなることから、この点でも、作業性を向上させることができる。
【図面の簡単な説明】
【００１６】
【図１】本発明の実施の形態に係るマイクロホン用キャップをその使用状態で示す断面図である。
【図２】本発明の実施の形態に係るマイクロホン用キャップをその閉状態で示す斜視図である。
【図３】本発明の実施の形態に係るマイクロホン用キャップをその開状態で示す斜視図である。
【図４】本発明の実施の形態に係るマイクロホン用キャップを開状態で示す平面図である。
【図５】本発明の実施の形態に係るマイクロホン用キャップを開状態で示す側面断面図である。
【図６】本発明の実施の形態に係るマイクロホン用キャップをその閉状態で示す側面図である。
【図７】従来のマイクロホン用キャップの一例を示す図である。
【発明を実施するための形態】
【００１７】
以下、添付図面に基づいて本発明の実施の形態に係るマイクロホン用キャップについて詳細に説明する。尚、上記と同様のものには同一の符号を付して説明する。
図１乃至図６には、本発明の実施の形態に係るマイクロホン用キャップＣを示している。本マイクロホン用キャップＣは、一般にカラオケ等で使用される所謂ボーカルマイクロホン等と言われるマイクロホンＭに用いられる。図１に示すように、このマイクロホンＭは、棒状の把持部１の一端に風防ネット２で略球形状に形成され集音するヘッド３を有して構成されている。風防ネット２は、マイクロホンＭの軸方向上下に分割され、分割された単体を連結部４で連結して構成される。この連結部４は、ヘッド３の略中央に軸線を中心とし外側に突出するリング状の凸条５を備えている。
【００１８】
実施の形態に係るマイクロホン用キャップＣは、樹脂に抗菌剤を混合した抗菌性樹脂で成形型により一体形成されている。
樹脂としては、例えば、ポリエチレン、ポリプロピレン、塩化ビニル樹脂、ＡＢＳ樹脂、ポリエステル、ポリ塩化ビニリデン、ポリアミド、ポリスチレン、ポリアセタール、ポリビニルアルコール、ポリカーボネート、アクリル樹脂、ポリウレタン、フェノール樹脂、ユリア樹脂、メラミン樹脂、エポキシ樹脂、フッ素樹脂、レーヨン、キュプラ、アセテート、各種エラストマー、天然及び合成ゴムなどの熱可塑性又は熱硬化性樹脂を挙げることができる。
【００１９】
抗菌剤としては、例えば、有機系抗菌剤，無機系抗菌剤があるが、本実施の形態では、主に無機系抗菌剤が使用される。無機系抗菌剤の代表例は、銀などの金属で置換されたゼオライトや合成鉱物などが挙げられる。抗菌性ゼオライトは、例えば、アミノケイ酸塩による三次元骨格構造を持つゼオライトの構造内に、抗菌性を有する銀イオンを取り込んだものである。銀イオンの他に、他の抗菌性金属イオン、例えば、銅、亜鉛等のイオンを含んでいてもよい。
【００２０】
実施の形態に係るマイクロホン用キャップＣは、ヘッド３の一方側を覆う一方被覆部Ｃａと、ヘッド３の他方側を覆う他方被覆部Ｃｂと、一方被覆部Ｃａ及び他方被覆部Ｃｂを開閉可能に連結するヒンジ部１０と、一方被覆部Ｃａ及び他方被覆部Ｃｂの閉時に互いを解除可能にロックするロック部２０とを備え、上記の抗菌性樹脂で一体形成されている。
【００２１】
一方被覆部Ｃａ及び他方被覆部Ｃｂは、互いに肉厚を同じにした略対称のカップ状に形成されており、頂部においてヒンジ部１０で連結されている。肉厚は、例えば、１．５ｍｍに設定される。ヒンジ部１０は、図４及び図５に示すように、軸方向（上下方向）に直交し筋状の折曲可能な薄肉部１１を有した板状に形成されている。一方被覆部Ｃａ及び他方被覆部Ｃｂには、その閉時にマイクロホンＭの把持部１のヘッド３側の基部６を包持する包持部１２が備えられている。一方被覆部Ｃａ及び他方被覆部Ｃｂは、閉時において、開放口縁部１３が互いに接合され、包持部１２により把持部１の基部６を囲繞する貫通孔１４を形成する。
【００２２】
また、一方被覆部Ｃａ及び他方被覆部Ｃｂの内側には、その閉時にマイクロホンＭのヘッド３の凸条５を収容可能な収容溝１５が形成されている。一方被覆部Ｃａ及び他方被覆部Ｃｂの各収容溝１５は、閉時において、リング状に連続する。一方被覆部Ｃａ及び他方被覆部Ｃｂは、互いに肉厚を同じにして形成されるので、結果として、その外側に、収容溝１５に対応した帯状の突出部１６が形成される。突出部１６の中央は、平面状に形成された表示部１７として構成されている。表示部１７には例えば「抗菌キャップ」等の文字が型成形により表出される。文字の背景は、着色するなどしてよい。
【００２３】
また、ロック部２０は、一方被覆部Ｃａに一体に設けられた係合部２１と、他方被覆部Ｃｂに一体に設けられ係合部２１に係合する被係合部２２とを備えて構成されている。
係合部２１は、一方被覆部Ｃａに包持部１２の周方向両端に夫々設けられ、外向きに突出する係合突起２３で構成されている。被係合部２２は、他方被覆部Ｃｂの包持部１２の周方向両端に夫々舌片２４を突設し、この舌片２４に係合孔２５を設けて構成されている。係合部２１と被係合部２２との係合及び係合解除は、樹脂の可撓性の性質により実現される。ロック部２０は、係合部２１と被係合部２２の係合によるので構造を簡易化できる。
【００２４】
更に、本マイクロホン用キャップＣは、一方被覆部Ｃａ及び他方被覆部Ｃｂを開方向に離間させるための指の掛止部３０を備えている。掛止部３０は、一方被覆部Ｃａ及び他方被覆部Ｃｂの少なくともいずれか一方の包持部１２（実施の形態では一方被覆部Ｃａの包持部１２）の内側に設けられ、包持部１２の端縁から指を引掛け可能な凹所３１で構成されている。凹所３１は包持部１２の中央長手方向に沿って設けられている。特に、掛止部３０を凹所３１で構成したので、包持部１２に一体に形成できるとともに、構造を簡易にすることができる。この凹所３１により、凹所３１を構成する壁面とマイクロホンＭの把持部１の表面との間の隙間が大きくなり、指の挿入が可能になる。
【００２５】
更にまた、一方被覆部Ｃａ及び他方被覆部Ｃｂの大きさ、貫通孔１４の大きさ、及び、収容溝１５の大きさは、ヘッド３に凸条５を有する汎用型のボーカルマイクロホンＭに対応できるように、余裕を持って設定されている。また、凸条５を覆うために、一方被覆部Ｃａ及び他方被覆部Ｃｂの内側全部を大きく形成するのに比較して、収容溝１５を形成するだけでよいので、それだけ、全体がコンパクトに形成されている。
【００２６】
従って、このマイクロホン用キャップＣを使用するときは以下のようになる。マイクロホンＭの使用後、マイクロホンＭを布などで拭いた後、図３乃至図５に示すように、ヒンジ部１０を介して一方被覆部Ｃａ及び他方被覆部Ｃｂを開き、この一方被覆部Ｃａ及び他方被覆部Ｃｂをヘッド３を挟むように配置し、図１，図２及び図６に示すように、再び、ヒンジ部１０を介して一方被覆部Ｃａ及び他方被覆部Ｃｂを閉じ、ロック部２０の係合部２１を被係合部２２に係合してロックし、ヘッド３を包持する。この場合、係合部２１の係合突起２３を被係合部２２の係合孔２５に樹脂の可撓性の性質を利用して係合させるので、操作性が向上させられる。
【００２７】
また、マイクロホンＭのヘッド３には、外側に突出するリング状の凸条５があるが、この凸条５は、収容溝１５に収容される。そのため、一方被覆部Ｃａ及び他方被覆部Ｃｂがこの凸条５に引っかかって閉じない事態が防止され、確実にヘッド３を覆うことができるようになる。
【００２８】
そして、マイクロホンＭを次に使用するまで保管する。保管中においては、ヘッド３の風防ネット２に付着した雑菌が風防ネット２の隙間などで繁殖しようとしても、キャップＣは抗菌性樹脂で一体形成されているので、その繁殖が抑制され、そのため、ヘッド３を清潔に保持することができる。この場合、ロック部２０の係合部２１及び被係合部２２を抗菌性樹脂で一体形成したので、抗菌作用をより高めることができる。
【００２９】
一方、カラオケ等でマイクロホンＭを使用するときは、マイクロホンＭからマイクロホン用キャップＣを取り外す。この際には、ロック部２０の係合部２１と被係合部２２との係合を解除し、ヒンジ部１０を介して一方被覆部Ｃａ及び他方被覆部Ｃｂを開いてヘッド３から取り外す。この場合、係合部２１の係合突起２３を被係合部２２の係合孔２５から樹脂の可撓性の性質を利用して外すだけなので、操作性が向上させられる。また、この場合、一方被覆部Ｃａ及び他方被覆部Ｃｂのロック部２０の係合を解除するときや一方被覆部Ｃａ及び他方被覆部Ｃｂを開くとき、掛止部３０の凹所３１に指を掛止して引っ張ることができ、それだけ、操作性がよくなり、作業性を向上させることができる。特に、掛止部３０を凹所３１にしたので、凹所３１を構成する壁面とマイクロホンＭの把持部１の表面との間の隙間が大きくなり、指の挿入が容易になるとともに、指を引掛けやすく、また、開方向の力を伝達しやすくなり、この点でも、操作性がよくなり、作業性を向上させることができる。
【００３０】
このように、本マイクロホン用キャップＣは、一方被覆部Ｃａ及び他方被覆部Ｃｂを開閉するだけで、ヘッド３に対して装着しあるいは取り外すことができるので、操作性が極めて良く、作業性を向上させることができるが、特に、一方被覆部Ｃａ，他方被覆部Ｃｂ，ヒンジ部１０，ロック部２０を抗菌性樹脂で一体形成したので、長期に亘り、繰り返し使用することができ、従来のように、抗菌紙を逐一交換する煩雑な作業をしなくても良くなることから、この点でも、作業性を向上させることができる。更に、抗菌紙を使用しなくても良いことから、使い捨ての無駄も防止することができる。
【００３１】
尚、上記実施の形態において、ヒンジ部１０の位置やロック部２０の位置は上述したものに限定されるものではなく、ヒンジ部１０を一方被覆部Ｃａ及び他方被覆部Ｃｂの頂部ではなく側部に設け、ロック部２０もヒンジ部１０とは反対側の一方被覆部Ｃａ及び他方被覆部Ｃｂの側部に設けるなど、適宜変更してよい。また、ロック部２０において、係合部２１と被係合部２２の構造も上記に限定されない。更に、上記実施の形態において、掛止部３０を一方被覆部Ｃａに設けたが、必ずしもこれに限定されるものではなく、他方被覆部Ｃｂに設け、あるいは、一方被覆部Ｃａ及び他方被覆部Ｃｂの両方に設けても良く、適宜変更して差し支えない。掛止部３０の構造は凹所３１に限定されず包持部１２の外側に突出させた把手であっても良い。そしてまた、上記実施の形態において、ヘッド３の略中央にリング状の凸条５を備えたマイクロホンＭに装着する場合で説明したが、必ずしもこれに限定されるものではなく、凸条５のないマイクロホンＭにも装着できることは勿論である。
【符号の説明】
【００３２】
Ｃ  マイクロホン用キャップ
Ｍ  マイクロホン
１  把持部
２  風防ネット
３  ヘッド
４  連結部
５  凸条
６  基部
Ｃａ  一方被覆部
Ｃｂ  他方被覆部
１０  ヒンジ部
１２  包持部
１５  収容溝
１６  突出部
１７  表示部
２０  ロック部
２１  係合部
２２  被係合部
３０  掛止部
３１  凹所
【図１】
2013118467.tif 000003
【図２】
2013118467.tif 000004
【図３】
2013118467.tif 000005
【図４】
2013118467.tif 000006
【図５】
2013118467.tif 000007
【図６】
2013118467.tif 000008
【図７】
2013118467.tif 000009